(57)【要約】【課題】  特殊な機械工具や熟練を必要とすることなく、上から装着するだけで容易に取り付けることのできる防水保護板取付構造を提供すること。【解決手段】  庇部を有したパラペットを備えた屋上、ベランダ等の防水保護板取付構造であって、下地層の上に設置された防水層と防水層の上に設置された断熱層と断熱層の上に設置された耐久層とから成る床面の前記庇部の直下位置に固定された固定片と、前記固定片に上から嵌合される固定部材と、前記固定部材に設けられた凹部に嵌合されるチャンネル部材と、前記庇部の下面に配設された凹溝状ガイドレールとから構成され、前記固定片、固定部材、チャンネル部材により防水保護板の下端側を支持し、前記凹溝状ガイドレールによって前記防水保護板の上端側を支持するので、特殊な機械や熟練を必要とすることなく、上から装着するだけで容易に取り付けることができる。【選択図】  図１
2006200217.tif 000002
【特許請求の範囲】
【請求項１】
庇部を有したパラペットを備えた屋上、ベランダ等の防水保護板取付構造であって、
下地層の上に設置された防水層と防水層の上に設置された断熱層と断熱層の上に設置された耐久層とから成る床面の前記庇部の直下位置に固定された固定片と、
前記固定片に上から嵌合される固定部材と、
前記固定部材に設けられた凹部に嵌合されるチャンネル部材と、
前記庇部の下面に配設された凹溝状ガイドレールとから構成され、
前記固定片、固定部材、チャンネル部材により防水保護板の下端側を支持し、
前記凹溝状ガイドレールによって前記防水保護板の上端側を支持することを特徴とする防水保護板取付構造。
【請求項２】
前記固定片は、所定間隔で複数個直線状に配設されることを特徴とする請求項１に記載の防水保護板取付構造。
【請求項３】
前記固定片は、打ち込みビスで前記耐久層に固定されることを特徴とする請求項１または２に記載の防水保護板取付構造。
【請求項４】
前記固定部材の下端内壁面には、縦に複数の小突起が形成されたことを特徴とする請求項１〜３の何れか１に記載の防水保護板取付構造。
【請求項５】
前記固定部材は、隅部では直角に形成されることを特徴とする請求項１〜４の何れか１に記載の防水保護板取付構造。
【請求項６】
前記固定部材は、出隅部或いは入り隅部の双方に使用できることを特徴とする請求項５に記載の防水保護板取付構造。
【請求項７】
庇部を有したパラペットを備えた屋上、ベランダ等の防水保護板取付工法において、
下地層の上に設置された防水層と防水層の上に設置された断熱層と断熱層の上に設置された耐久層とから成る床面の前記庇部の直下位置に固定片を固定する固定片取り付け工程と、防水保護板の下端にチャンネル部材を介して固定部材を取り付ける固定部材取り付け工程と、防水保護板の上端を一旦、庇部の下面に配設された凹溝状ガイドレール内の上端まで挿入した後、防水保護板の下端に取り付けられた固定部材を前記固定片に上から装着する装着工程と、前記凹溝状ガイドレールに詰物を装着して防水保護板を固定する固定工程とから成ることを特徴とする防水保護板取付工法。
【発明の詳細な説明】
【技術分野】
【０００１】
本発明は、コンクリート構築物における屋上やベランダにおける、立ち上がり部の側面を保護する保護板取付の構造に関し、特に、コンクリート建築物における屋上等の立ち上がり部側面に設けられた防水層を保護するための防水保護板取付構造及び防水保護板取付工法に関するものである。
【背景技術】
【０００２】
一般に、コンクリート建築物の屋上には、立ち上がり部があり、前記立ち上がり部の側面には、床面から連続した防水層が延設されている。前記防水層は、シート防水やアスファルト系部材により防水効果を発揮している。しかし、前記防水層は、露出したままであると、直射日光や風雨等の自然環境による影響を受け易いため、防水保護板によって保護されている。
【０００３】
図８は、従来例におけるコンクリート建築物の屋上立ち上がり部の防水層を保護するための保護板取付構造を説明するための説明図である。図９は、保護板を取り付けるためのＣ型チヤネルと固定部材とを説明するための図である。図８、図９において、屋上はコンクリートスラブ１０１、コンクリート立ち上がり部（パラペット）１０２、および前記立ち上がり部１０２に連設された庇部１０３とから構成されている。
【０００４】
前記コンクリートスラブ１０１および立ち上がり部１０２の屋上側には、防水層１０４が設けられている。また、前記コンクリートスラブ１０１の上には、前記防水層１０４、断熱層１０５、耐久床層１０６が順次形成されている。さらに、耐久床層１０６には、切り込み溝１０７が、例えば、コンクリートカッター等の特殊機械によって形成されている。
【０００５】
前記防水層１０４の立ち上がりを保護する防水保護板１０９は、上部をガイドレールｔ０１以こ挿入した後、下部をＣ型チャンネル１０１０の凹部に嵌合する。前記Ｃ型チヤネル１０１０は、図示のような形状の固定具１０８の一方を前記Ｃ型チャンネル１０１０の上部に引っ掛け、他方を前記切り込み溝１０７に入れ、前記切り込み溝１０７をモルタル等で埋め戻すことにより固定されている。
【０００６】
前記ガイドレール１０１１は、前記防水保護板１０９が固定された際に空間を有するようになっている。前記空間は、前記防水保護板１０９の上方をガイドレール１０１１に入れた後、その下方を前記Ｃ型チャンネル１０１０の凹部に嵌入できるようにするためのものである。なお、前記防水保護板１０９の上部は、前記ガイドレール１０１１の内部で、詰め物１０１２によって、防水と固定とを同時に行っている。
【０００７】
また、他のパラペットにおける防水保護板取付構造は、たとえば、特開平２００２−１０６１２７号公報等に記載されている。
【特許文献１】特開２００２−１０６１２７号公報
【発明の開示】
【発明が解決しようとする課題】
【０００８】
しかし、前記防水保護板取付構造は、屋上の耐久床層に固定具を取り付けるための切り込み溝をコンクリートカッター等の特殊機械によって施工する必要がある。また、前記特殊機械は、屋上やベランダまで持ち上げなければならず、また、操作をする専門の者が必要であった。
【０００９】
前記コンクリートカッターは、固定具の一方を入れるための切り込み溝を正確に作製する必要がある。前記切り込み溝は、その深さや大きさ等に狂いがあると、前記耐久床層の耐久性に問題が発生するおそれがあった。また、前記切り込み溝は、前記コンクリートカッターの操作によって、耐久床層に傷をつけ、経年変化による雨漏りの原因となる場合があった。
【００１０】
前記保護板は、施行後、前記防水層の点検および補修等のために自由に取り外しができなければならない。しかし、前記従来例の保護板取付構造は、固定具の一方を前記Ｃ型チャンネルの上部に引っ掛け、他方を前記切り込み溝に入れた後、モルタルで固定しているため、取り外しの度に、モルタルを破壊しなければならなかった。
また、特許文献１に記載のものでは、防水保護板の下端のみしか狭持金具で固定されておらず、上端は重設防水層や水切金具で押さえられるのみであった。このため、防水保護板を確実に固定することが困難であった。更に、防水保護板の取り付け作業が煩雑で、手数の掛かるものであった。
【００１１】
以上のような課題を解決するために、本発明は特殊な工具や特殊な技能を有する者が不要であり、固定片を打ち込みビスにより耐久床層に打ち込むだけで、容易に防水保護板を取り付けることができる保護板取付構造及び防水保護板取付工法を提供することを目的とする。
また、本発明は、防水保護板の取り外しが容易にでき、かつ、経年変化によっても、耐久床層、防水層、断熱層等に影響を与えることのない保護板取付構造及び防水保護板取付工法を提供することを目的とする。
【課題を解決するための手段】
【００１２】
前記目的を達成するために、請求項１に記載の発明は、庇部を有したパラペットを備えた屋上、ベランダ等の防水保護板取付構造であって、下地層の上に設置された防水層と防水層の上に設置された断熱層と断熱層の上に設置された耐久層とから成る床面の前記庇部の直下位置に固定された固定片と、前記固定片に上から嵌合される固定部材と、前記固定部材に設けられた凹部に嵌合されるチャンネル部材と、前記庇部の下面に配設された凹溝状ガイドレールとから構成され、前記固定片、固定部材、チャンネル部材により防水保護板の下端側を支持し、前記凹溝状ガイドレールによって前記防水保護板の上端側を支持することを特徴としている。
【００１３】
また、請求項２に記載の発明において、前記固定片は、所定間隔で複数個直線状に配設されることを特徴としている。
【００１４】
また、請求項３に記載の発明において、前記固定片は、打ち込みビスで前記耐久層に固定されることを特徴とするものである。
【００１５】
また、請求項４に記載の発明において、前記固定部材の下端内壁面には、縦に複数の小突起が形成されたことを特徴とするものである。
【００１６】
また、請求項５に記載の発明において、前記固定部材は、隅部では直角に形成されることを特徴とするものである。
【００１７】
また、請求項６に記載の発明において、前記固定部材は、出隅部或いは入り隅部の双方に使用できることを特徴とするものである。
【００１８】
また、請求項７に記載の発明において、庇部を有したパラペットを備えた屋上、ベランダ等の防水保護板取付工法において、下地層の上に設置された防水層と防水層の上に設置された断熱層と断熱層の上に設置された耐久層とから成る床面の前記庇部の直下位置に固定片を固定する固定片取り付け工程と、防水保護板の下端にチャンネル部材を介して固定部材を取り付ける固定部材取り付け工程と、防水保護板の上端を一旦、庇部の下面に配設された凹溝状ガイドレール内の上端まで挿入した後、防水保護板の下端に取り付けられた固定部材を前記固定片に上から装着する装着工程と、前記凹溝状ガイドレールに詰物を装着して防水保護板を固定する固定工程とから成ることを特徴とするものである。
【発明の効果】
【００１９】
この発明は前記した構成からなるので、以下に説明するような効果を奏することができる。
【００２０】
本発明では、庇部を有したパラペットを備えた屋上、ベランダ等の防水保護板取付構造であって、下地層の上に設置された防水層と防水層の上に設置された断熱層と断熱層の上に設置された耐久層とから成る床面の前記庇部の直下位置に固定された固定片と、前記固定片に上から嵌合される固定部材と、前記固定部材に設けられた凹部に嵌合されるチャンネル部材と、前記庇部の下面に配設された凹溝状ガイドレールとから構成され、前記固定片、固定部材、チャンネル部材により防水保護板の下端側を支持し、前記凹溝状ガイドレールによって前記防水保護板の上端側を支持するので、特殊な工具や特殊な技能を有する者が不要であり、固定片を打ち込みビスにより耐久床層に打ち込むだけで、容易に防水保護板を取り付けることができる。また、防水保護板の取り外しが容易にでき、かつ、経年変化によっても、耐久床層、防水層、断熱層等に影響を与えることがない。
【００２１】
請求項２に記載の発明では、前記固定片は、所定間隔で複数個直線状に配設されるので、耐久層への固定片の取り付け作業が簡単であり、作業性を向上することができる。
【００２２】
請求項３に記載の発明では、前記固定片は、打ち込みビスで前記耐久層に固定されるので、防水保護板を確実に保持固定することができる。また、防水層へ影響を与えることがなく、防水機能を損なうこともない。
【００２３】
また、請求項４に記載の発明において、前記固定部材の下端内壁面には、縦に複数の小突起が形成されたので、固定片に取り付ける際に上から装着するのみで容易に固定することができる。
【００２４】
また、請求項５に記載の発明において、前記固定部材は、隅部では直角に形成されるので、屋上やベランダの隅部においても確実に防水保護板を取付ることができる。
【００２５】
また、請求項６に記載の発明において、前記前記固定部材は、出隅部或いは入り隅部の双方に使用できるので、屋上やベランダの出隅部或いは入り隅部の双方において、確実に防水保護板を取付ることができる。
【００２６】
また、請求項７に記載の発明において、庇部を有したパラペットを備えた屋上、ベランダ等の防水保護板取付工法において、下地層の上に設置された防水層と防水層の上に設置された断熱層と断熱層の上に設置された耐久層とから成る床面の前記庇部の直下位置に固定片を固定する固定片取り付け工程と、防水保護板の下端にチャンネル部材を介して固定部材を取り付ける固定部材取り付け工程と、防水保護板の上端を一旦、庇部の下面に配設された凹溝状ガイドレール内の上端まで挿入した後、防水保護板の下端に取り付けられた固定部材を前記固定片に上から装着する装着工程と、前記凹溝状ガイドレールに詰物を装着して防水保護板を固定する固定工程とから成るので、特殊な工具や特殊な技能を有する者が不要であり、固定片を打ち込みビスにより耐久床層に打ち込むだけで、容易に防水保護板を取り付けることができる。また、防水保護板の取り外しが容易にでき、かつ、経年変化によっても、耐久床層、防水層、断熱層等に影響を与えることがない。
【発明を実施するための最良の形態】
【００２７】
本発明は、固定片とこの固定片に上から嵌合される固定部材と前記固定部材に設けられた凹部に嵌合されるチャンネル部材と庇部の下面に配設された凹溝状ガイドレールとから構成され、前記固定片、固定部材、チャンネル部材により防水保護板の下端側を支持し、前記凹溝状ガイドレールによって前記防水保護板の上端側を支持するので、特殊な工具や技能を必要とせず、容易に防水保護板を着脱できる。
【実施例１】
【００２８】
以下、一実施の形態を示す図面に基づいて本発明を詳細に説明する。図１は本発明に係る防水保護板取付構造の一実施の形態を示す縦断面図、図２は、本発明の防水保護板取付構造に使用される固定部材を下方から見た斜視図、図３は、本発明の防水保護板取付構造に使用される固定片を示す斜視図である。ここで、防水保護板取付構造１０は、庇部１１を有したパラペット１２を備えた屋上、ベランダ等に使用されるものであって、下地層１３の上に設置された防水層１４と防水層１４の上に設置された断熱層１５と断熱層１５の上に設置された耐久層１６とから成る床面の前記庇部１１の直下位置に固定された固定片１７と、前記固定片１７に上から嵌合される固定部材１８と、前記固定部材１８に設けられた凹部１８ａに嵌合されるチャンネル部材１９と、前記庇部１１の下面１１ａに配設された凹溝状ガイドレール２０とから構成され、前記固定片１７、固定部材１８、チャンネル部材１９により防水保護板２１の下端側を支持し、前記凹溝状ガイドレール２０によって前記防水保護板２１の上端側を支持するものである。
【００２９】
固定部材１８は、図２に示すように下面に固定片１７と嵌合するための凹部１８１を有している。また、凹部１８１の内壁面には、縦に複数の小突起１８２が形成されている。小突起１８２は、下から固定片１７を嵌合する際に適宜変形するように構成されている。また、固定部材１８の上面には、チャンネル部材１９を嵌合するための凹部１８３が形成されている。
【００３０】
固定片１７は、図３に示すように断面がほぼチャンネル状をしており、両側壁面から外方に突起部１７１、１７２が突出している。この突起部１７１、１７２は、固定部材１８と嵌合した際に、固定部材１８側の小突起１８２を変形させる働きをする。また、固定片１７の底面１７３は、耐久層１６に接触させて打ち込み打ち込みビスで打ち込むことができる。更に、固定片１７は、打ち込みビス２２を挿入するための打ち込みビス挿入孔１７４が設けられている。
【００３１】
図４は、本発明の防水保護板取付構造の下方から見た組立斜視図である。所定の長さの固定片１７に固定部材１８の凹部１８１を嵌合した後、長尺状のチャンネル部材１９を取り付けることができる。
【００３２】
以上のような構成の防水保護板取付構造の施工手順を、コンクリート建築物の屋上を例にして説明する。図１において、コンクリート建築物の屋上におけるパラペット１２は、内方に向かって庇部１１を有している。また、庇部１１の下面には、凹溝状ガイドレール２３が配設されている。また、前記凹溝状ガイドレール２３は、前記防水保護板２１を固定する際に利用できるような空間２３１が成形されている。すなわち、前記空間２３１は、前記防水保護板２１の上部を凹溝状ガイドレール２３に入れた後、下方が前記固定部材１８に成形された凹部１８３の装着されるチャンネル部材１９に嵌入できるように成形されている。なお、前記防水保護板２１の上部は、前記凹溝状ガイドレール２３の内部で、詰め物２４によって、防水と固定とを同時に行うことができる。
【００３３】
このように構成された屋上において、先ず固定片１７を打ち込みビス２２により耐久層１６上に取り付ける。固定片１７の取り付け位置は、凹溝状ガイドレール２３の直下である。また、固定片１７は、所定の間隔を有して、凹溝状ガイドレール２３に沿って直線状に配設される。
【００３４】
また、パラペット１２の内周面に沿って貼着された防水層１４を保護する防水保護板２１は、上部を凹溝状ガイドレール２３内に挿入した後、下部をチャンネル部材１９の凹部に嵌合する。図１、図４に示すような形状の固定部材１８の下部は、既に打ち込みビス２２によって耐久層１６に取り付けられている固定片１７に上から嵌合させることにより取り付けられる。前記チャンネル部材１９は、前記固定部材１８の凹部１８３に嵌合される。
【００３５】
この様に、本発明の防水保護板取付構造では、特殊な工具や技能を必要とせず、容易に防水保護板を屋上等に設置できる。
【００３６】
図５は、本発明の防水保護板取付構造の隅部に使用される固定部材５０を下方から見た斜視図である。本実施例では、固定部材５０は、全体が直角に構成されており、その下面に固定片１７と嵌合するための凹部５１を有している。また、凹部５１の内壁面には、縦に複数の小突起５２が形成されている。小突起５２は、下から固定片１７を嵌合する際に適宜変形するように構成されている。また、凹部５１は、適宜な間隔でリブ５４を有しており、固定片１７が嵌合できる略長方形の形状となっている。また、固定部材５０の上面には、チャンネル部材１９を嵌合するための凹部５３が形成されている。
【００３７】
このような固定部材５０は、図６に示すように屋上の隅部に使用することができる。なお、固定部材５０は、出隅部Ａ或いは入り隅部Ｂの双方に使用できる。この固定部材５０を使用した場合、隅部においても特別の工具を必要とすることなく、確実に防水保護板を取付ることができる。
【００３８】
図７は、本発明の防水保護板取付構造の他の実施の形態を示す要部断面図である。本実施の形態において、チャンネル部材７０は、凹部７０ａの一側に内側に向かったフランジ７１を有している。このフランジ７１は、防水保護板２１の厚さに応じてその寸法を決定する。つまり、チャンネル部材７０の凹部７０ａの幅に比べて防水保護板２１の厚さが薄い場合は、このフランジ７１の寸法で調整することができる。凹部７０ａには、シール材を充填して水密性を確保することができる。
【００３９】
このように本発明の防水保護板取付構造によれば、固定片を耐久層に打ち込みビスで固定した後、固定具およびコ字型チャンネル部材を嵌め込んでいるため、前記耐久層に溝を掘るといつた特殊機械と特殊技術が不要である。すなわち、本発明は、打ち込みビスを単に打ち込むといった単純作業のみで保護板を取り付けることができる。
また本発明によれば、前記固定片の取り付けに際し、コンクリートカッターを使用しないため、耐久層に傷を付けたり、その際の工事が原因となって、経年変化による雨漏り等を無くすことができる。
【００４０】
本発明によれば、前記固定片および固定具の形状を特許請求の範囲に記載されているような形状にすることで、前記耐久層等に傷を付けることなく、経年変化による雨漏り等が起きないように、堅固でかつ安定した保護板が取り付けられる。本発明によれば、固定片に傾斜した打ち込みアンカー挿入孔を設けたため、前記耐久層に前記打ち込みアンカーが斜めに入り、経年変化に耐える取り付けができる。本発明によれば、固定具に、前記固定片のフランジと、前記フランジに連設された取付凸部とを抱持するような構造になっているため、互いにグラ付くことがなく、堅固に取り付けることができる。
【図面の簡単な説明】
【００４１】
【図１】図１は、本発明に係る防水保護板取付構造の一実施の形態を示す縦断面図である。
【図２】図２は、同防水保護板取付構造に使用される固定部材を下方から見た斜視図である。
【図３】図３は、同防水保護板取付構造に使用される固定片を示す斜視図である。
【図４】図４は、同防水保護板取付構造の下方から見た組立斜視図である。
【図５】図５は、同防水保護板取付構造の隅部に使用される固定部材を下方から見た斜視図である。
【図６】図６は、同防水保護板取付構造の出隅、入隅部を示す説明図である。
【図７】図７は、同防水保護板取付構造の他の実施の形態を示す要部断面図である。
【図８】図８は、従来例におけるコンクリート建物のパラペットにおける防水層を保護する防水保護板取付構造の説明図である。
【図９】図９は、同防水保護板取付構造のＣ型チャンネルと固定部材との関係を示す説明図である。
【符号の説明】
【００４２】
１０      防水保護板取付構造
１１      庇部
１２      パラペット
１３      下地層
１４      防水層
１５      断熱層
１６      耐久層
１７      固定片
１７１、１７２    突起部
１８      固定部材
１８１    凹部
１８２    小突起
１８３    凹部
１９      チャンネル部材
２０      凹溝状ガイドレール
２１      防水保護板
２２      打ち込みビス
２３      凹溝状ガイドレール
２４      詰め物
５０      固定部材
５１      凹部
５４      リブ
【図１】
2006200217.tif 000003
【図２】
2006200217.tif 000004
【図３】
2006200217.tif 000005
【図４】
2006200217.tif 000006
【図５】
2006200217.tif 000007
【図６】
2006200217.tif 000008
【図７】
2006200217.tif 000009
【図８】
2006200217.tif 000010
【図９】
2006200217.tif 000011